(57)【要約】【課題】簡便且つ安価な構造及び方法により、希望する順番で受電装置に給電可能な非接触給電装置を得る。【解決手段】複数の受電装置を順番に給電する非接触給電装置１であって、非接触給電装置１に載置された受電装置３とその位置を検出する受電装置検出部３１と、受電装置検出部３１で検出された受電装置３との間で通信を行うことで情報を取得する通信部３２と、各受電装置３に対して給電するための給電部３３と、受電装置検出部３１で検出した各受電装置３の載置順を給電優先度として設定する優先度設定管理部２０と、を備え、給電部３３は、各受電装置３に対して前記給電優先度にしたがって給電を行う。【選択図】図３
2018164332.tif 000002
【特許請求の範囲】
【請求項１】
複数の受電装置を順番に給電する非接触給電装置であって、
前記非接触給電装置に載置された受電装置とその位置を検出する受電装置検出部と、
前記受電装置検出部で検出された前記受電装置との間で通信を行うことで情報を取得する通信部と、
前記各受電装置に対して給電するための給電部と、
前記受電装置検出部で検出した各受電装置の載置順を給電優先度として設定する優先度設定管理部と、を備え、
前記給電部は、前記各受電装置に対して前記給電優先度にしたがって給電を行う
ことを特徴とする非接触給電装置。
【請求項２】
前記優先度設定管理部は、載置された各受電装置による給電優先度を既設優先度として管理するとともに、
前記載置順に給電を行う優先給電モードと既設優先度給電モードとの選択を行うモード選択部を備え、
前記給電部は、前記既設優先度給電モードが選択された場合、前記既設優先度にしたがって給電を行う
請求項１に記載の非接触給電装置。
【請求項３】
前記受電装置の前記情報の正常取得完了の状態を表示する表示部を設けた請求項１に記載の非接触給電装置。
【請求項４】
前記表示部は、前記受電装置の給電中及び給電完了の状態表示を含む請求項３に記載の非接触給電装置。
【請求項５】
複数の受電装置を順番に給電する非接触給電方法であって、
給電対象となる複数の受電装置を順番に載置する載置手順と、
前記載置された受電装置を検出する検出手順と、
前記検出された受電装置との間で情報の送受信を行う通信手順と、
前記情報に基づいて各受電装置の載置順を給電優先度として設定する優先度設定手順と、
前記設定が完了後で指定時間経過後に前記設定された給電優先度にしたがって各受電装置への給電を順次行う給電手順と、
を含むことを特徴とする非接触給電方法。
【発明の詳細な説明】
【技術分野】
【０００１】
本発明は、受電装置に対して非接触で給電を行う非接触給電システムに関し、特に、複数の受電装置に対して希望する給電順序に従って給電可能とする非接触給電装置及び非接触給電方法に関する。
【背景技術】
【０００２】
近年、搭載されたバッテリで駆動される機器（スマートフォン、スマートウォッチ、その他小型機器）が普及しつつある。これらの機器の中には、バッテリ充電のために非接触に電力を受電するための装置（受電装置）が内蔵されているものがある。今後、同一ユーザが複数の受電装置内蔵機器を所有するケースが増えると予想される。
【０００３】
受電装置に電力伝送するには給電装置からの給電が必要となるが、複数の受電装置を給電可能とするため、移動可能な一個の送電コイルを内蔵した非接触給電装置が提案されている。
この非接触給電装置によれば、非接触給電装置上に載置された複数の受電装置の位置をそれぞれ検出し、当該位置まで送電コイルを順次移動させることにより受電装置の受電コイルとのコイルの位置合わせを行い、当該受電装置に対して非接触に電力伝送を行うことで複数の受電装置への給電を可能としている。
【０００４】
また、載置された複数の受電装置に対する送受電コイルの位置合わせの別手段として、複数の送電コイルを内蔵した非接触給電装置も存在する。
この非接触給電装置によれば、受電装置の載置された位置を検出し、当該位置近傍の送電コイル群を稼働させることにより、これら送電コイル群から同時に一個の受電装置に対して非接触に電力伝送を可能とするものである。
【０００５】
非特許文献１では、これらの非接触給電システムの仕様を定義している。
【０００６】
また、特許文献１には、複数の受電装置に対して非接触で給電する場合において、給電の優先度を設定する手段が開示されている。
【先行技術文献】
【特許文献】
【０００７】
【特許文献１】特願２００９−１１８０３７
【非特許文献】
【０００８】
【非特許文献１】The Qi Wireless Power Transfer System Power Class 0 Specification Parts 1 and 2: Interface Definitions Version 1.2.2
【発明の概要】
【発明が解決しようとする課題】
【０００９】
受電装置に給電する場合、給電装置が存在する環境、例えば、給電装置を設置した自宅へ帰宅、オフィスへ出社や出先へ訪問、ユーザが持参する給電装置の起動のための電源利用が可能な場所への訪問、が必要となる。そして、ユーザが複数の受電装置内蔵機器を使用し、各機器内蔵のバッテリを充電する場合、複数機器を充電する順序は、各機器のバッテリ残量や、次の行動予定における使用機器などに応じて変わり得る。その際、非接触給電システムにおいて、複数の受電装置を給電する際に、その都度、給電の優先度を設定できると便利である、という要望があった。
【００１０】
非特許文献１では、送電コイルあるいは送電コイル群から同時に給電できるのは一台の受電装置に対してのみであり、給電順序は給電開始前の受電装置検出のタイミングで検出された順番で決まる。このため、一定時間経過後に使用することが決まっている又は使用予定の機器が必ずしも先行して充電完了する保障は無いという問題点があった。
また、受電装置（受電装置内蔵機器）を一個ずつ給電装置に載置させて充電し、充電完了後に次優先度の機器を載置して充電する場合、外出中や就寝中に充電完了してしまうと、その後、帰宅あるいは起床するまで次の機器を充電させることができず、全機器の充電完了までの時間を多く要してしまうという問題点があった。
【００１１】
特許文献１では、複数の受電装置内蔵機器を非接触で給電する場合において、給電の優先度を設定する手段について提案しているが、受電装置内蔵機器の情報を給電装置へ送信するために、受電装置内蔵機器にはＩＣタグ、給電装置にはＩＣタグリーダの装備を必要としている。また、給電装置に対して優先度を設定するためのユーザインタフェース（ＬＣＤパネル、キー入力部）を必要としている。したがって、これら追加デバイスの装備やユーザインタフェースを追加することが必要となり、開発及び製造コストが増大するという問題点があった。
【００１２】
本発明は上記実情に鑑みて提案されたもので、簡便且つ安価な構造及び方法により、希望する順序で複数の受電装置に給電可能な非接触給電装置及び非接触給電方法を提供することを目的としている。
【課題を解決するための手段】
【００１３】
本発明は、複数の受電装置を同時に給電できない非接触給電システムにおいて、ユーザインタフェース機能が無い給電装置に対して、複数の受電装置の給電順序を設定し、設定した順序で給電することを可能にしたものである。
【００１４】
上記目的を達成するため請求項１の発明は、複数の受電装置を順番に給電する非接触給電装置であって、次の構成を含むことを特徴としている。
前記非接触給電装置に載置された受電装置とその位置を検出する受電装置検出部。
前記受電装置検出部で検出された前記受電装置との間で通信を行うことで情報を取得する通信部。
前記各受電装置に対して給電するための給電部。
前記受電装置検出部で検出した各受電装置の載置順を給電優先度として設定する優先度設定管理部。
そして、前記給電部は、前記各受電装置に対して前記給電優先度にしたがって給電を行う。
【００１５】
請求項２の発明は、請求項１の非接触給電装置において、
前記優先度設定管理部は、載置された各受電装置による給電優先度を既設優先度として管理するとともに、
前記載置順に給電を行う優先給電モードと既設優先度給電モードとの選択を行うモード選択部を備え、
前記給電部は、前記既設優先度給電モードが選択された場合、前記既設優先度にしたがって給電を行うことを特徴としている。
【００１６】
請求項３の発明は、請求項１の非接触給電装置において、
前記受電装置の前記情報の正常取得完了の状態を表示する表示部を設けたことを特徴としている。
【００１７】
請求項４の発明は、請求項３の非接触給電装置において、
前記表示部は、前記受電装置の給電中及び給電完了の状態表示を含むことを特徴としている。
【００１８】
請求項５の発明は、複数の受電装置を順番に給電する非接触給電方法であって、
給電対象となる複数の受電装置を順番に載置する載置手順と、
前記載置された受電装置を検出する検出手順と、
前記検出された受電装置との間で情報の送受信を行う通信手順と、
前記情報に基づいて各受電装置の載置順を給電優先度として設定する優先度設定手順と、
前記設定が完了後に前記設定された給電優先度にしたがって各受電装置への給電を順次行う給電手順と、
を含むことを特徴としている。
【発明の効果】
【００１９】
請求項１（非接触給電装置）及び請求項５（非接触給電方法）によれば、複数の受電装置に対して、設定した給電優先度で給電することにより、使用予定のある機器の受電装置についての給電を載置順に優先的に行うことで、当該機器の次回使用開始までの待ち時間を短縮することができる。
非接触給電装置に載置した順番により、受電装置への給電優先度が設定されるので、給電順序を容易に設定することができる。
【００２０】
請求項２によれば、既設優先度にしたがって給電を行うことで、受電装置の載置順を考えることなく給電処理を行うことができる。
【００２１】
請求項３によれば、表示部を備えることで、載置した受電装置について情報検出中であることを把握することができ、情報検出が確実に終了した後に次の受電装置を載置することができる。
【００２２】
請求項４によれば、受電装置の給電中及び給電完了の状態を把握することができ、確実な給電完了を認識することができる。
【図面の簡単な説明】
【００２３】
【図１】非接触給電システムの構成説明図である。
【図２】非接触給電装置の外観を示す斜視説明図である。
【図３】非接触給電装置のブロック図である。
【図４】データベースに記憶される給電優先度と受電装置の識別子とを対応させた表である。
【図５】非接触給電方法による給電手順を説明するためのフローチャートである。
【図６】受電装置への給電が中断された場合の処理手順を説明するためのフローチャートである。
【図７】（ａ）及び（ｂ）は給電優先度と給電状態及び受電装置の識別子とを対応させた表である。
【発明を実施するための形態】
【００２４】
以下、図面を参照しながら本発明の非接触給電システムについて説明する。
非接触給電システムは、図１に示すように、外部電源２に接続された非接触給電装置１と、充電対象となる機器４に接続された受電装置３により構成されている。非接触給電システムは、非接触給電装置１から出力され非接触に伝送される電力を受電装置３が受電し、機器４を充電（ワイヤレス給電）するように動作する。
非接触給電装置１は、複数の受電装置を一つずつ順番に給電するための送電コイルを備えている。また、受電装置３は、非接触給電装置の送電コイルから出力される電力を受電するための受電コイル（図示せず）を備えている。出力された電力を蓄積する２次電池（図示せず）は機器４、あるいは受電装置３に備えられる。
【００２５】
非接触給電装置１の外観は、図２に示すように平板形状に形成され、上面に複数の受電装置を同時に載置するためのスペースを有する載置トレイ１１が形成されている。非接触給電装置１の上面側には、電源のオン・オフを行う電源スイッチ１２、及び、初期状態等にリセットする場合や給電モードの選択に際して操作するリセットスイッチ１３が配置されている。
【００２６】
非接触給電装置１は、図３に示すように、外部電源２から電源が供給される電源入力部２１と、リセットスイッチ１３の押下状態を検知するリセットボタン押下検知部２２と、給電状況等を表示するＬＥＤ表示部２３と、給電モードを選択するモード選択部２４と、受電装置の給電順序を設定して管理する優先度設定管理部２０と、優先度に基づいて受電装置への給電制御を行う給電制御部３０と、各種情報を記憶するデータベース４０とから構成されている。また、給電制御部３０は、受電装置を検出する受電装置検出部３１と、受電装置との通信を行う通信部３２と、各受電装置に給電を行う給電部３３とから構成されている。
【００２７】
電源入力部２１は、商用電源（ＡＣ１００Ｖ等）から非接触給電装置１の駆動に必要な電源（ＤＣ１２Ｖ等）に変換し、優先度設定管理部２０及び給電制御部３０へ給電する。
リセットボタン押下検知部２２は、リセットスイッチ１３（図２）の押下有無、押下継続時間、指定時間内の押下回数等を検知する。
【００２８】
給電制御部３０内の受電装置検出部３１は、例えば受電装置検出用のコイル群と検出用回路で構成され、非接触給電装置１のトレイ１１上に物体が載置されたこと、載置された物体が受電装置であること、載置された物体の載置位置を検出する機能を有する。
受電装置検出部３１は、載置トレイ下に複数の受電装置検出用のコイルを備えることで、載置トレイへの物体の載置にともなう静電容量の変化を検知することでまず物体を検出し、これを契機にその後、物体の位置検出のために、個々のコイルから順に、受電装置側コイルと共振する所定のパルス状の電流を流し、その応答を評価する。そして、全コイルに渡って評価することで、受電装置の有無、および受電装置のコイルの載置位置を推定することが可能となる。
【００２９】
通信部３２は、受電装置検出部３１で検出された受電装置との間で、検出した受電装置に対して電力伝送に必要な条件（受電装置側で入力可能な最大電力、受電装置内蔵機器に具備される２次電池の充電状態等）及び情報（識別子等）を取得するために非接触給電装置が受電装置と通信する機能を有する。給電装置が検出した当該受電装置の載置時刻に関する情報は、受電装置の識別子に対応させて優先度設定管理部２０に送られる。
【００３０】
受電装置の識別子は、例えば図４右欄に示すように、上位４ビットを製造者識別子、下位４ビットを同一製造者内で一意に識別可能なシリアル番号とし、それらを組み合わせた８ビットの数字で管理される。
【００３１】
給電部３３は、載置トレイ１１上に載置された受電装置に対して非接触で給電を行うためのものであり、載置トレイ１１の下方の送電コイルより載置トレイ１１の任意の位置に載置された受電装置を給電可能に構成されている。給電にあたり、検出した受電コイルの位置へ1個の送電コイルが移動する実装であってもよく、あるいは予め固定配置された複数の送電コイルの中から、検出した受電コイル近傍の送電コイル群を選択する実装であってもよい。
すなわち、給電部３３は、送電コイル経由で非接触に電力伝送するために必要な条件となるよう交流電流を生成し送電コイルに供給する。非接触給電装置側の送電コイルは供給された電流から磁界を生成することにより、受電装置側の受電コイルに起電力が発生して電流が流れ、発生した直流電圧により内蔵された２次電池が充電される。
【００３２】
優先度設定管理部２０は、受電装置の識別子に応じた載置時刻を参照して複数の受電装置の載置順を認識し、載置順に応じた給電優先度（給電優先順）を設定する。また、載置順により既に設定された給電優先度（既設優先度）は、データベース４０において、各受電装置について載置時刻の早い順に優先度を設定し、それに対応する識別子とともに、図４に示すようなマップで管理する。
【００３３】
ＬＥＤ表示部２３は、非接触給電装置の電源オン・オフ状態、給電中／給電完了／エラー状態を表示するＬＥＤにより構成されている（図２）。
ＬＥＤ２３の点灯／消灯、複数の点滅パターンにより、電源ＯＮ／ＯＦＦ、給電モード（通常給電／優先給電）、優先給電の設定状態、給電中／給電完了／エラー状態を識別するように制御される。「給電中」は、給電部３３により受電装置が給電されている状況、「給電完了」は受電装置への給電処理が完了した状況、「エラー状態」は、受電装置への給電に異常が発生している状況、をそれぞれ示している。
上述した構成を備えることで、受電装置の給電中及び給電完了の状態を把握することができ、確実な給電完了を認識することができる。
【００３４】
また、ＬＥＤ表示部２３は、通信部３２が受電装置との間の通信により情報を正常に取得完了であることが把握できるようにしてもよい。この場合、正常情報取得完了に対応するＬＥＤ動作（点滅周期、点灯時間）をＬＥＤ２３に設定する、あるいは第２のＬＥＤを設け、例えば点灯中の時は情報の正常に取得完了であることを示すようにすればよい。
上述した構成を備えることで、載置した受電装置について情報検出中であることを把握することができ、情報検出が確実に終了した後に次の受電装置を載置することができる。
【００３５】
モード選択部２４は、通常給電モードと優先給電モードの２つの動作モードを備え、スイッチ等で切替可能に構成されている。各モードの選択は、表示部２３で確認可能なようになっている。
例えば、電源スイッチ１２のオン動作により通常給電モードが起動され、その状態でリセットスイッチ１３を指定時間長押しすることで優先給電モードが起動されるようになっている。また、リセットスイッチ１３を押下しながら電源スイッチ１２をオンすることで優先給電モードが起動されるようにしてもよい。
【００３６】
優先給電モードは、ユーザが意図する優先度（載置順）で給電順序を設定できるモードである。これに対して通常給電モードは、非特許文献１に記載されているように、給電開始前の受電装置検出のタイミングで検出された順番で給電順序が決まるモードである。例えば、複数の受電装置に給電する場合で特に優先する受電装置がないような場合、複数の受電装置を無造作に載置トレイ１１上に置くだけで、非接触給電装置側での検出のタイミングで給電順序が決まるので、載置トレイ上への載置順を気にすることなく全ての受電装置の給電を行うことができる。
【００３７】
データベース４０は、優先度設定管理部２０が必要な処理をするにあたり参照されるデータが格納されている。このデータには、各受電装置の優先度に関する情報（図４）、及び、各受電装置の給電状態に関する情報（後述する図７）が含まれる。
【００３８】
上述の非接触給電システムにおけるワイヤレス給電の代表的な方式としては、電磁誘導方式を想定しているが、磁界共鳴方式であってもよい。
【００３９】
続いて、非接触給電システムにおいて複数の受電装置の給電優先度（給電優先順）を設定し、優先度に応じて給電する手順について、図５のフローチャートを参照して説明する。
先ず、非接触給電装置の載置トレイ１１に何もない状態（受電装置が存在しない状態）にし、非接触給電装置の電源スイッチ１２を押下することで起動させる（Ｓ１）。
この起動は、例えば、非接触給電装置の電源ケーブルの抜き差しによる電源オン、または、電源ケーブルが接続された状態でのリセットボタン１３の押下等で行ってもよい。
【００４０】
次に、非接触給電装置の給電モードについて、優先度設定処理を行うため、優先度に応じた給電が可能な優先給電モードへ切り替える（Ｓ２）。例えば、リセットボタン１３を指定時間（例５秒）長押しすることを契機にして優先給電モードへの切り替えが行われる。
また、リセットボタン１３を押下しながら電源スイッチ１２を押下することを契機に切り替えが行われてもよい。
【００４１】
優先給電モードへの切り替えが行われた場合、当該モードへ正しく切替えられたことをユーザへ通知するために、ＬＥＤ２３が点灯表示から点滅（指定の時間間隔、指定周期でのＬＥＤの点滅）表示に変わる。したがって、ＬＥＤ２３が点灯していれば通常給電モードが設定されていることを意味し、ＬＥＤ２３が点滅していれば優先給電モードが設定されていることを意味する。
【００４２】
優先給電モードへの切り替えを認識したユーザは、希望する給電順に一台ずつ受電装置（受電装置内蔵機器）を非接触給電装置１の載置トレイ１１へ載置する。
【００４３】
１台目の受電装置内蔵機器が載置トレイ１１に載置される（Ｓ３）と、非接触給電装置は受電装置検出部３１により、物体の載置有無及び載置位置を検出、ならびに載置された物体が受電装置であるか否かを検出する（Ｓ４）。
【００４４】
受電装置として検出した場合（Ｓ５）には、非接触給電装置と受電装置間のさらなる通信（Ｓ６）により、給電のための必要な情報（受電装置の載置時刻、識別子、設置時間）、条件（受電装置側で入力可能な最大電力、受電装置内蔵機器に具備される２次電池の充電状態等）を取得するとともに、優先度を「最優先」として設定する（Ｓ７）。すなわち、最初に載置された機器の受電装置への給電の優先度を最優先として設定する。ここで、非接触給電装置と受電装置間の通信により、非接触給電装置にて給電優先度と受電装置の識別子を組み合わせた情報（図４）を記録する。ＬＥＤ表示部２３は、情報取得が完了したことを表示する。
【００４５】
ユーザは、２台以上の    充電が必要な受電装置内蔵機器を有している場合には、1台目の優先度設定完了時刻から指定時間内に２台目の機器を非接触給電装置１の載置トレイ１１上に載置する（Ｓ７）。１台目の場合と同様に、物体と位置の検出、受電装置検出、通信を経て２番目の優先度として非接触給電装置内に設定される。
【００４６】
３台目以降、充電を必要とする全ての受電装置内蔵機器に対して、同様の処理を繰り返して行う。
【００４７】
充電が必要な受電装置内蔵機器の全てを載置し終え、最後の受電装置の優先度設定が完了した時刻から指定時間の経過を給電装置が検知、あるいはこれ以上の優先度設定待ち受電装置が無いことを示すユーザからの明示的な操作（リセットボタンを用いた指定の動作など）を非接触給電装置が検知すると（Ｓ８）、非接触給電装置は設定した優先度に応じて、対応する受電装置に対して給電を開始する（Ｓ９）。
当該受電装置への給電が完了すると、次優先度に対応する受電装置に対して給電を開始する（Ｓ１０）。これを優先度設定された全ての受電装置に対して実施する。
【００４８】
優先度設定された全ての受電装置への給電が完了すると、非接触給電装置は優先給電モードから通常給電モードへ自動的に切り替わる（Ｓ１１）。
同モードへの切り替え後は、非接触給電装置に載置された複数の受電装置は従来の給電装置の動作と同様に、任意に検出された順に受電装置への給電を開始する（Ｓ１２〜Ｓ１５）。
【００４９】
上述した非接触給電システムによれば、非接触給電装置に載置した順番により、受電装置への給電処理が優先的に行われるので、非接触給電装置１の載置トレイ１１上に希望する給電順に受電装置を一台ずつ順番に載置するという簡単な操作で容易に給電の優先度（給電優先順）を設定することができる。
また、非接触給電装置及び受電装置には、各々ＩＣタグリーダやＩＣタグの装備を不要とし、さらに非接触給電装置に対してＬＣＤパネルやキー入力部などのユーザインタフェースを不要とするため、従来の給電装置に比べてより少ないコストで、給電の優先度の設定および設定された順序での給電を実現することができる。
【００５０】
また、非接触給電システムによる給電中の受電装置について、当該受電装置を内蔵する機器を使用したい状況が生じる場合がある。この場合、非接触給電装置１の載置トレイ１１から一時的に受電装置内蔵機器を給電装置から外し、当該機器を使用した後に再度載置して給電することが考えられる。このような場合についての処理について、図６を参照して説明する。
この処理は、図５におけるステップ９（Ｓ９）及びステップ１０（Ｓ１０）で行われる。
【００５１】
すなわち、非接触給電装置１が優先度に基づく給電対象受電装置への給電に移行した状態において給電中（Ｓ９０１）、給電制御部３０の通信部３２は受電装置と通信し、受電装置搭載機器のバッテリの充電状況や、必要な給電出力、給電要否について受電装置から定期的あるいは任意のタイミングで情報を取得する。
一時的に受電装置搭載機器を使用する等の理由により、受電装置を内蔵する機器の充電が完了してない状態の給電途中に受電装置を非接触給電装置１の載置トレイ１１から取り除くと、給電制御部３０が給電断の発生を検知する（Ｓ９０２）。
【００５２】
非接触給電装置１は、給電断の継続時間を、予め設定された指定のタイムアウト時間（Ｔ１）と比較し（Ｓ９０７）、給電断の継続時間がタイムアウト時間内の場合には給電対象とする受電装置の優先度を維持し、当該受電装置への給電の試みを継続する。
給電断の継続時間がタイムアウト時間（Ｔ１）を超過した場合には、給電装置はデータベースにおける当該受電装置の給電状態を「待機」の扱いに設定する（Ｓ９０８）。
【００５３】
次に、データベース４０を参照して給電状態が待機かつ次優先度の受電装置を検索し、該当する受電装置が存在すれば給電対象として選択し（Ｓ９１０）、当該受電装置への給電を試みる（Ｓ９０１）。
【００５４】
例えば、給電優先度「１」の受電装置の給電が終了し、給電優先度「２」の受電装置の給電が行われている状況においては、データベース４０では、図７（ａ）に示すように、給電優先度「１」の受電装置が「完了」、給電優先度「２」の受電装置が「給電中」、給電優先度「３」〜「Ｎ」の受電装置が「待機」に設定される。この状態で、給電優先度「２」の「給電中」の受電装置に給電断が生じると、図７（ｂ）に示すように、給電優先度「１」の受電装置が「完了」、給電優先度「２」の受電装置が「待機」、給電優先度「３」の受電装置が「給電中」、給電優先度「４」〜「Ｎ」の受電装置が「待機」に設定される。
【００５５】
データベース４０参照の結果、給電状態が待機かつ次優先の受電装置が存在しない場合、優先度を問わず給電状態が待機の受電装置をデータベースより検索する（Ｓ９０５）。
該当する受電装置があれば、当該受電装置を給電対象として選択し（Ｓ９０６）、給電を試みる（Ｓ９０１）。
該当する受電装置がなければ、優先給電モードを終了し、通常給電モードへ切り替える（Ｓ１１）。
【００５６】
ステップ９０２（Ｓ９０２）にて給電中の中断発生を検知しない場合には、受電装置への給電を継続し、給電中の受電装置との通信により給電が完了と判断した場合にはデータベース４０における当該受電装置の給電状態を完了に設定する（Ｓ９０４）。
【００５７】
その後、給電状態が待機の受電装置の中から優先度が最も高いものを給電対象として選択（Ｓ９０６）し、当該受電装置への給電を試みる（Ｓ９０１）。
【００５８】
また、給電を中断した受電装置が長時間、非接触給電装置に再載置されない場合に備え、非接触給電装置は同一受電装置への給電試行回数（他の受電装置から当該受電装置へ給電対象が切り替わった回数）、あるいは優先給電モードにおいて給電しない状態の継続時間に上限値を設け、当該上限値に達した場合には通常給電モードに移行する機能を設けても良い。
【００５９】
上述した給電システムでは、通常給電モードと優先給電モードの２つの動作モードを備えて給電処理を行う例を説明したが、載置順による優先度が過去に設定された複数の受電装置に対して、記憶された給電順（既設優先度）により給電処理を行う既設優先度給電モードを追加してもよい。この場合、モード選択部２４は、優先給電モードと既設優先度給電モードと通常給電モードの三種類から選択することになる。
【００６０】
優先度設定管理部２０は、上述したように、載置された各受電装置の給電優先度（給電優先順）はデータベース４０に記録されるので、該給電優先度を受電装置と対応させて既設優先度として管理する。モード選択部２４で既設優先度給電モードが選択された場合、載置トレイ１１上に載置された複数の受電装置の識別子を検知し、複数全ての受電装置が既設優先度で管理された複数受電装置に含まれる場合、載置順を検出することなく、既設優先度による給電順で給電処理が行われる。
【００６１】
非接触給電装置の載置トレイ上への過去の載置において、受電装置Ａ，Ｂ，Ｃ，Ｄ，Ｅにより既設優先度が設定されている場合（優先度：Ａ，Ｂ，Ｃ，Ｄ，Ｅの順）、今回、受電装置Ａ，Ｂ，Ｄ，Ｅをランダムに載置した場合であっても、載置した複数受電装置（Ａ，Ｂ，Ｄ，Ｅ）が既設優先度に対応する複数受電装置（Ａ，Ｂ，Ｃ，Ｄ，Ｅ）より少ない場合（この場合、受電装置Ｃの載置は無い）、既設優先度に応じた給電順（Ａ，Ｂ，Ｄ，Ｅ）で給電を行う。
この例によれば、設定された既設優先度に対応する複数の受電装置に含まれる受電装置であれば、載置順にかかわらず前回設定と同じ希望の給電順で給電処理を行うことができ、過去に設定した複数の受電装置と同じ複数の受電装置（足りない受電装置があっても可）の給電を行う場合に、非接触給電装置１の載置トレイ１１上への載置順を考えることなく給電処理を行わせることができる。
【００６２】
上述した非接触給電装置（非接触給電方法）によれば、複数の受電装置の給電優先度（給電優先順）を載置トレイ１１上での載置順で簡単且つ容易に設定できるので、使用予定のある機器の受電装置についての給電を優先的に行うことができ、当該機器の次回使用開始までの待ち時間を短縮することができる。
【符号の説明】
【００６３】
１…非接触給電装置、  ２…外部電源、  ３…受電装置、  ４…機器、  １１…載置トレイ、  １２…電源スイッチ、  １３…リセットスイッチ、  ２０…優先度設定管理部、  ２１…電源入力部、  ２２…リセットスイッチ押下検知部、  ２３…ＬＥＤ表示部、  ２４…モード選択部、  ３０…給電制御部、  ３１…受電装置検出部、  ３２…通信部、  ３３…給電部、  ４０…データベース。
【図１】
2018164332.tif 000003
【図２】
2018164332.tif 000004
【図３】
2018164332.tif 000005
【図４】
2018164332.tif 000006
【図５】
2018164332.tif 000007
【図６】
2018164332.tif 000008
【図７】
2018164332.tif 000009